(57)【要約】【課題】カラオケボックス等を利用して音声並びに画像を個人間で手軽に配信し、新たなコミュニケーション手段を開拓するためのカラオケ音声画像送信システムを提供すること。【解決手段】楽曲の演奏部１２，１３，１５、歌詞の表示部１１及び音声入力部１４を有するカラオケ設備２と、画像を撮影する撮影装置１６とを有する。撮影装置１６により撮影された画像及び音声入力部１４を通じて録音された音声及び楽曲をファイルとして記録部１０に保存する。この保存されたファイルの送信先であるメールアドレスをメールアドレスの入力インターフェイス１７，１８，３０から入力する。メール送信手段４１によりメールアドレスにファイルと共に又はファイルの保存先アドレスと共にｅメールを送信する。【選択図】　　図１
2004069923.tif 000002
【特許請求の範囲】
【請求項１】
楽曲の演奏部（１２，１３，１５）、歌詞の表示部（７２，１１）及び音声入力部（１４）を有するカラオケ設備（２）と、画像を撮影する撮影装置（１６）と、前記撮影装置（１６）により撮影された画像及び前記音声入力部（１４）を通じて録音された音声及び楽曲をファイルとして保存する記録部（９，１０）と、この保存されたファイルの送信先であるメールアドレスを入力するメールアドレスの入力インターフェイス（１７，１８，３０）と、前記メールアドレスに前記ファイルと共に又は前記ファイルの保存先アドレスと共にインターネットを介してｅメールを送信するメール送信手段（４１）とを備えたカラオケ音声画像送信システム。
【請求項２】
携帯端末（２０）との交信装置（１７）を備え、携帯端末（２０）から当該携帯端末（２０）の電話番号（２１ａ）又はメールアドレス情報（２１ｂ）をカラオケ設備（２）に転記する転記手段（１７，４０ａ）を備える請求項１に記載のカラオケ音声画像送信システム。
【請求項３】
携帯端末（２０）のアドレス帳（２２）から選択された送信先メールアドレス（２２ａ）をカラオケ設備（２）に転記する転記手段（１７，４０ｂ）を有している請求項１又は２に記載のカラオケ音声画像送信システム。
【請求項４】
個々の携帯端末（２０）を識別するための識別ＩＤの取得手段（４０ａ）と、この識別ＩＤ（４０ａ）に基づいて各携帯端末（２０）毎又は携帯端末（２０）のグループ毎に会計を行う会計手段（４０ｃ）とをさらに備えている請求項１〜３のいずれかに記載のカラオケ音声画像送信システム。
【請求項５】
前記歌詞を表示するためのディスプレイ装置（１１）のうち、前記歌詞（６２）の表示部分と前記カメラ（１６）のレンズ（１６ａ）とが近接している請求項１〜４のいずれかに記載のカラオケ音声画像送信システム。
【請求項６】
前記レンズ（１６ａ）が前記ディスプレイ装置（１１）の下部に設けられている請求項５に記載のカラオケ音声画像送信システム。
【請求項７】
前記ファイルの録音・録画時間（Ｓ２，Ｓ３）が限定されており、録音・録画開始を利用者が指定するための録音・録画開始手段（３０ａ）がさらに設けられている請求項１〜６のいずれかに記載のカラオケ音声画像送信システム。
【請求項８】
前記ファイルの録音・録画時間が限定されており、録音・録画開始時刻（Ｓ２）があらかじめ設定されている請求項１〜７のいずれかに記載のカラオケ音声画像送信システム。
【請求項９】
前記録音・録画時間の開始、進行を示すためのインジケーター（６１）を前記表示部（７２，１１）に表示することを特徴とする請求項７又は８のいずれかに記載のカラオケ音声画像送信システム。
【請求項１０】
間欠的に撮影された複数の画像を表示し少なくとも１の送信用静止画像を選択させるための静止画像表示選択手段（３０ａ，２３）をさらに備えている請求項１〜９のいずれかに記載のカラオケ音声画像送信システム。
【請求項１１】
間欠的に撮影された複数の画像を表示し少なくとも１の出力用静止画像を選択させるための静止画像表示選択手段（３０ａ，２３）をさらに備え、選択された静止画像を打ち出すための出力装置（８ａ）をさらに備えている請求項１〜１０のいずれかに記載のカラオケ音声画像送信システム。
【請求項１２】
前記送信するｅメールに文字・記号よりなるメッセージを入力するためのメッセージ入力手段（８１，８２，３０ａ，２３）をさらに備えている請求項１〜１１のいずれかに記載のカラオケ音声画像送信システム。
【請求項１３】
複数メッセージの記憶手段（４０）と、メッセージ表示選択手段（８１，８２，３０ａ，２３）とをさらに備えている請求項１〜１２のいずれかに記載のカラオケ音声画像送信システム。
【請求項１４】
前記メールの送信を指定日時に行うためのタイマー（４０ｅ）をさらに備えている請求項１〜１３のいずれかに記載のカラオケ音声画像送信システム。
【請求項１５】
前記メールの送信先が携帯端末（２０）であり、この携帯端末（２０）は前記送信ファイルから画像を待ち受け画面ファイルに変換する変換手段を有している請求項１〜１４のいずれかに記載のカラオケ音声画像送信システム。
【発明の詳細な説明】
【０００１】
【発明の属する技術分野】
本発明は、カラオケ音声画像送信システムに関するものである。さらに詳しくは、楽曲の演奏部、歌詞の表示部及び音声入力部を有するカラオケボックス等のカラオケ設備の有効活用のためのシステムに関する。
【０００２】
【従来の技術】
従来、カラオケ音声画像送信システムとしては、例えば特開平１１−１９４７８７号に記載の如きものが知られている。同公報によれば、カラオケボックスにおいて、歌唱した音声及び映像ファイルをサーバーにアップロードしている。そして、ＷＷＷネットワークを通じて不特定多数の者にこのファイルを公開し、人気投票を行っている。
【０００３】
ところで、現在のカラオケボックスは豊満状態にある。そして、各店舗は、カラオケの楽曲充実や、ハモリ等のカラオケ機能の充実にみられるような、カラオケ自体を如何に楽しむかという点に重点をおいているのが現状である。このような状況下で、上記従来のカラオケ音声画像送信システムが提唱されれば、新たな市場は開拓されるであろうが、不特定多数の者に歌唱の音声と映像を公開するのであるから、手軽な利用によるカラオケボックスの十分な需要喚起を達成できないのが現状である。
【０００４】
【発明が解決しようとする課題】
かかる従来の実情に鑑みて、本発明は、カラオケボックス等を利用して音声並びに画像を個人間で手軽に配信し、新たなコミュニケーション手段を開拓するためのカラオケ音声画像送信システムを提供することにある。
【０００５】
【課題を解決するための手段】
上記目的を達成するため、本発明に係るカラオケ音声画像送信システムの特徴は、楽曲の演奏部、歌詞の表示部及び音声入力部を有するカラオケ設備と、画像を撮影する撮影装置と、前記撮影装置により撮影された画像及び前記音声入力部を通じて録音された音声及び楽曲をファイルとして保存する記録部と、この保存されたファイルの送信先であるメールアドレスを入力するメールアドレスの入力インターフェイスと、前記メールアドレスに前記ファイルと共に又は前記ファイルの保存先アドレスと共にインターネットを介してｅメール（電子メール）を送信するメール送信手段とを備えたことにある。
【０００６】
本発明の実施形態では、楽曲の演奏部はＭＩＤＩ等による再生装置、アンプ、スピーカー等により構成され、歌詞はディスプレイに表示される。音声及び画像はパーソナルコンピュータ（ＰＣ）又は施設内サーバーに記録される。
【０００７】
本システムは、携帯端末との交信装置を備え、携帯端末から当該携帯端末の電話番号又はメールアドレス情報をカラオケ設備に転記する転記手段を備えている。これによって、発信者が不明な画像ファイルが送信されることを防ぐことができる。
【０００８】
携帯端末のアドレス帳から選択された送信先メールアドレスをカラオケ設備に転記する他の転記手段を有している。これにより、送信先メールアドレスの入力作業が省力化される。
【０００９】
また、上述した電話番号やメールアドレス等、個々の携帯端末を識別するための識別ＩＤの取得手段と、この識別ＩＤに基づいて各携帯端末毎又は携帯端末のグループ毎に会計を行う会計手段とをさらに備えていてもよい。
【００１０】
前記歌詞を表示するためのディスプレイ装置のうち、前記歌詞の表示部分と前記カメラのレンズとが近接していることが望ましい。これにより、歌唱者の視線がカメラから大幅に外れることを防ぐことができる。
【００１１】
より具体的には、前記レンズが前記ディスプレイ装置の下部に設けられていることが合理的である。歌詞はディスプレイの下側に表示されることが多いからである。
【００１２】
録音・録画のパターンには２つのパターンがある。その一つは、前記ファイルの録音・録画時間が限定されており、録音・録画開始を利用者が指定するための録音・録画開始手段がさらに設けられているものである。他のパターンは、前記ファイルの録音・録画時間が限定されており、録音・録画開始時刻があらかじめ設定されているものである。
【００１３】
上述の録音・録画時間を歌唱者が把握し易くするため、前記録音・録画時間の開始、進行を示すためのインジケーターを前記表示部に表示することが望ましい。
【００１４】
静止画を送信することも可能であり、この場合、間欠的に撮影された複数の画像を表示し少なくとも１の送信用静止画像を選択させるための静止画像表示選択手段をさらに備えることが必要である。
【００１５】
一方、撮影された画像をファイルとして送信するのみならず、印字利用することも望まれる。このため、間欠的に撮影された複数の画像を表示し少なくとも１の出力用静止画像を選択させるための静止画像表示選択手段をさらに備え、選択された静止画像を打ち出すための出力装置をさらに備えている。
【００１６】
また、前記送信するｅメールに文字・記号よりなるメッセージを入力するためのメッセージ入力手段を備えていることが望ましい。このメッセージ入力に関し、複数メッセージの記憶手段と、メッセージ表示選択手段とをさらに備えていることが望ましい。メッセージ入力手段・メッセージ表示選択手段は、ディスプレイへの表示と、選択ボタン等により構成されている。
【００１７】
ところで、お祝い等のメールは事前に録画し、適切な日時に送信することが望まれる場合もある。このため、前記メールの送信を指定日時に行うためのタイマーをさらに備えてもよい。
【００１８】
前記メールの送信先が携帯端末であり、この携帯端末は前記送信ファイルから画像を待ち受け画面ファイルに変換する変換手段を設けてもよい。これにより、送信ファイルが受信者に日常的に使用されることとなる。
【００１９】
【発明の効果】
このように、上記本発明に係るカラオケ音声画像送信システムの特徴によれば、歌唱者等は特定のアドレスを入力し、これに基づいてｅメールにより音声・画像ファイル又はそれらの保存ＵＲＬが送信されるので、特定個人間のコミュニケーションが円滑に行われる。すなわち、相手が特定されているので、カラオケボックスを気軽に利用してファイル配信が行われる。これにより、カラオケボックッスを例えば結婚、就職、誕生日等の祝いのための録音・撮影スタジオとして気軽に活用できることとなり、新たなコミュニケーション手段としてカラオケボックスの需要を喚起できるようになった。
【００２０】
また、携帯端末との交信装置により、電話番号等で発信者を特定し、発信者が不明な画像ファイルが送信されることを防いでいる。これにより、通信料金の高額な迷惑メールの発信を抑止することが可能となった。
【００２１】
さらに、携帯端末のアドレス帳からの転記手段により、より手軽に本システムを利用することが可能となり、コミュニケーションの円滑さが向上することとなる。
【００２２】
ハード面では、歌詞の表示部分とレンズとの近接により、歌唱者の視線がカメラから大幅に外れることを防ぎ、個人対個人というコミュニケーションの質を向上させ、この点でも需要喚起を図ることに成功した。
【００２３】
また、録音・録画時間の限定と、その時間のインジケーターの表示により、歌唱者等は録音・撮影に集中することができ、メッセージの訴求力を高めることが可能となった。
【００２４】
一方、撮影された画像を上述のごとく印刷装置から出力可能としたので、例えばシール付の写真であるいわゆるプリクラ（商標）の印刷部分を利用して画像シールを得ることができる。これにより、カラオケの順番待時等に利用されるプリクラ装置を有効利用して、カラオケ施設のより一層の活性化を図ることが可能となった。
【００２５】
本発明の他の目的、構成、効果については、以下に示す本発明の実施の形態の項で明らかになるであろう。
【００２６】
【発明の実施の形態】
次に、添付図面を参照しながら、本発明をさらに詳しく説明する。本明細書では、パーソナルコンピューターのことをＰＣと、データベースのことをＤＢとそれぞれ称することとする。また、携帯端末とは、携帯電話や通信可能なＰＤＳを含むものとする。図１はカラオケ音声画像送信システム１のブロック図を示し、このカラオケ音声画像送信システム１は、大略、カラオケ設備２，ネットワーク３，中継サーバー４及び受信装置５を含んでいる。
【００２７】
カラオケ設備２は、複数の単位設備６，６ａ〜６ｃと撮影印刷装置８，施設内サーバー９とがハブ７を介してＬＡＮ（ローカルエリアネットワーク）で接続されている。また、このＬＡＮは、ＴＣＰ／ＩＰ等のインターネットワークとして構成されるネットワーク３を介して、中継サーバー４及び受信装置５と接続される。受信装置５はアンテナ５ｃを介して接続される携帯端末５ａやＰＣ５ｂを含んでいる。
【００２８】
施設の一部屋に相当する単位設備６は、全体を制御するＰＣ１０と、歌詞等を表示するモニター１１と、カラオケを音声データとして再生する再生装置１２と、音声を拡大するアンプ１３，スピーカー１５と、録音用のマイク１４を基本的に含んでいる。また、歌唱者をレンズ１６ａで撮影するカメラ１６の画像データはビデオキャプチャーボード等のインターフェイスを経由してＰＣ１０へ入力される。歌唱者等が持参する携帯電話等の携帯端末２０は、基本インターフェイス１７を介してＰＣ１０と接続され、単位設備６に既設のコントローラー３０は赤外線インターフェイス１８を介してＰＣ１０と接続される。
【００２９】
再生装置１２は図８に示すような複数トラックよりなるＭＩＤＩファイルを再生するための音源とアプリケーションソフトウェアを備えた装置である。なお、楽曲を再生するためのファイルはＭＩＤＩ以外にＷＡＶ形式でも構わない。
【００３０】
単位設備６におけるＰＣ１０及び施設内サーバー９は携帯端末２０を利用して個人認証を行う。この携帯端末２０とＰＣ１０とのインターフェイス７１は、いわゆるブルートゥース（商標）、赤外線通信又は携帯通信用電波等を用いる基本インターフェイス１７や、Ｃｍｏｄｅ（商標）等の二次元バーコードを撮影することにより認識を行うカメラ１６を利用することができる。
【００３１】
撮影印刷装置８は撮影画像をシール状の写真として印刷するいわゆるプリクラ（商標）と称される装置である。この撮影印刷装置８は、複数枚のシールとして構成された印画紙にカラー写真印刷の可能なプリンター８ａと、撮影用のカメラ８ｂ、撮影ポーズを確認するためのモニター８ｃと、全体を制御する制御ユニット８ｄとを備えている。この撮影印刷装置８は通常カラオケ設備の待ち時間等に利用されるものであるが、本実施形態ではプリンター８ａを出力用に用いる。
【００３２】
施設内サーバー９は、課金及び音声・画像データの送信を行う。この施設内サーバー９は、ＤＢアプリケーションにより操作されるＤＢ４０と、中継サーバー４のメールサーバー４ｂ、記憶部４ｃに音声画像データをｅメールとして送信するためのメールアプリケーション４１とを備えている。なお、図示省略するが、中継サーバー４へのこれらのデータ転送は、ＰＯＰ，ＳＭＴＰ，ＦＴＰ等のプロトコルによるｅメールに限らず、例えばＦＴＰ等により行うようにしても構わない。本明細書におけるアドレス及びｅメールを利用した情報転送には、ＦＴＰ及びＵＲＬの指定による情報転送の概念が含まれるものとする。
【００３３】
中継サーバー４は、送信者若しくは受信者又はこれら双方をネットワーク３に接続し、そのメールを送受信するためのプロバイダ又は送受信者自身の保有するコンピュータである。この中継サーバー４は、ウェブサーバー４ａ，メールサーバー４ｂ，記憶部４ｃ，画像変換エンジン４ｄを備えている。画像変換エンジン４ｄは、例えば画像データを受信する携帯端末５ａの機種に応じて受信表示可能なデータ形式にメールサーバー４ｂ，記憶部４ｃの画像データを変換するためのものである。
【００３４】
図２は、モニター１１とカメラ１６との関係を示す正面図である。同図（ａ）に示すように、モニター１１の表示画面１１ａには後述のインジケーター６１と楽曲に合わせて変化する歌詞６２が表示される。歌詞６２はこの例ではカメラ１６のレンズ１６ａが歌詞６２と近接するようにモニター１１の下側に設けられている。一方、同図（ｂ）では歌詞６２が縦向けに表示されており、これに合わせてカメラ１６をモニター１１の右側面に配置している。なお、同図（ａ）（ｂ）双方の状況に対応できるように、カメラ１６を符号１６’に示すようにモニター１１の右下隅に設けてもよい。
【００３５】
図３は携帯端末２０と施設内サーバー９のＤＢ４０との関係を示す図である。携帯端末２０は上述の如きカメラ１６，基本インターフェイス１７に代表されるインターフェイス７１を介して施設内サーバー９と実質的に接続される。携帯端末２０に内蔵されたＲＡＭには所有者情報２１とアドレス帳２２とが記憶されている。そして、図１１に示すように、携帯電話が接続されると（Ｓ１０１）、所有者情報２１の所有者電話番号２１ａ又は所有者メールアドレス２１ｂが個人ＤＢ４０ａに転送されて個人認証がなされ（Ｓ１０２）、個人を特定する個人ＩＤが仮付与される（Ｓ１０３）。そして、会計ＤＢ４０ｃにおいて個人ＩＤに基づいてカラオケ・飲食代金が積算され（Ｓ１０４）、撮影・印刷料金も積算される（Ｓ１０５）。これら積算結果は集計され（Ｓ１０６）、請求書発行（Ｓ１０７）の後支払がなされると（Ｓ１０８）、ＤＢ用ＩＤが解除される（Ｓ１０９）。
【００３６】
図４に表示ユニット７２の一例である表示画面１１ａとコントローラー３０との関係を示す。施設内サーバー９，ＰＣ１０よりなる情報処理ユニット７０は赤外線インターフェイス１８であるインターフェイス７１を通じてコントローラー３０と接続される。表示ユニット７２には例えばｈｔｍｌ又はＸＭＬ等のハイパーテキスト表示用ファイルにより各種の選択肢が表示され、選択肢の選択はコントローラー３０の制御ボタン３０ａを通じて表示制御部７０ａにより制御される。制御ボタン３０ａは上下左右及び中央の決定の５つのボタンを少なくとも有している。選択肢は上記表示用ファイルを通じてＤＢ４０と連携し、選択結果や入力内容がＤＢ４０に反映され、集計等がなされる。コントローラー３０からの入力は制御ボタン３０ａを用いた選択肢の選択や表示画面１１ａに表示される文字・記号・絵文字等のスクリーンキーボードの他、テンキーやアルファベット・カナキーにより行われる。
【００３７】
図５（ａ）は図４を模式的に描いたものであり、表示制御部７０ａを意味するＣＯＮＴ、ＤＢ４０を意味するＤＢが情報処理ユニット７０内に記憶されている。同図（ｂ）に示すように、赤外線インターフェイス１８，コントローラー３０に換えて基本インターフェイス１７，携帯端末２０を用いてもよい。この場合、入力は携帯端末２０における先の制御ボタン３０ａ相当のボタンやテンキー等を用いてなされる。同図（ｃ）の実施形態では、表示ユニット７２として携帯端末２０の携帯液晶２０ａが用いられ、ＣＯＮＴも携帯端末２０内蔵のプログラムが用いられる。同図（ｄ）の実施形態では、無線により接続される中継サーバー４に記憶されたＤＢ４０が用いられる。このように、ＣＯＮＴ，ＤＢ，表示ユニット７２は様々な組み合わせで実現される。
【００３８】
図７（ａ）は表示画面１１ａ等に表示されるインジケーター６１が示されている。インジケーター６１は例えば３分割された第一分割部６１ａ〜第三分割部６１ｃの部分からなり、一定時間毎に３部が順次変色し又はコントラストが変わることで時間の経過を歌唱者に認知させる。
【００３９】
図８に示すＭＩＤＩファイルのトラックは、符号Ｔｒ１からＴｒｎ＋２に示すようにｎ＋２番目までのものが存在する。そのうちＴｒ１からＴｒｎまでのものには楽曲のデータが記録されている。Ｔｒｎ＋１には時刻Ｓ１から楽曲のサビ時刻Ｓ２に至る時間帯でインジケーター６１の予備点灯が指定される。また、Ｔｒｎ＋２にはサビ時刻Ｓ２から時刻Ｓ３に至る時間帯でインジケーター６１の本点灯が指定される。本点灯はサビの開始から一定時間、例えば１５秒の間であり、インジケーター６１は３分割されているため、５秒毎に第一〜第三分割部６１ａ〜ｃが順次点灯・変色する。また、予備点灯はサビの開始を予告するためのものであって、例えば１秒毎に第一〜第三分割部６１ａ〜ｃが順次点灯・変色する。これにより、歌唱者はサビの開始と歌メッセージの録音・録画時間を知ることができる。
【００４０】
次に、図４〜１０と図１２〜１４を参照しながら、録音・録画、メール送信及び画像印刷に至る一連の手順について説明する。
【００４１】
上述のごとく携帯端末２０を利用して基本インターフェイス１７とＰＣ１０とを連携させ、個人情報が転記されて認証が行われた後、図１２に示すように、従前の手法に従って曲選択が行われる（Ｓ２０１）。携帯電話利用の場合は（Ｓ２０２）、図３のアドレス帳２２において特定の送信先メールアドレス２２ａが選択され送信先が決定される（Ｓ２０４）。一方、操作に携帯電話を利用しない場合は、コントローラー３０により基礎的情報が入力され（Ｓ２０５）、送信先が入力されて決定される（Ｓ２０６）。
【００４２】
自動撮影をコントローラー３０で選択した場合は（Ｓ２０７）、例えばサビの時間帯に連動した撮影時間帯が表示画面１１ａに表示され、コントローラー３０の曲開始ボタンを押す（Ｓ２０９）ことにより楽曲が演奏される。そして、サビの３秒前からインジケーター６１が予備点灯し、その後１５秒の本点灯が始まり（Ｓ２１０）、録音・録画が開始される（Ｓ２１４）。
【００４３】
一方、撮影タイミングの任意決定をコントローラー３０から選択した場合は（Ｓ２０７）、コントローラー３０の曲開始ボタンを押し（Ｓ２１１）、任意タイミングでコントローラー３０の録音ボタンを押す（Ｓ２１２）。これにより録音・録画（Ｓ２１４）がインジケーター６１の本点灯と共に始まる（Ｓ２１３）。
【００４４】
録音・録画が複数に及ぶ場合は、その対象がリスト表示され、以下の例でも同様であるが、先の制御ボタン３０ａ等で選択された対象が表示画面１１ａ又は携帯液晶２０ａで仮再生される（図１３，Ｓ３０１）。なお、以下における表示・再生は表示画面１１ａを代表して用いるが、携帯液晶２０ａで再生させても構わない。そして、送信対象を決定し（Ｓ３０２）、送信対象として静止画を選択した場合は（Ｓ３０３）、図９のごとく静止画が複数表示され（Ｓ３０４）、カーソル１０２を移動させてそれらの内の一つを選択し、送信画像を決定する（Ｓ３０５）。全体の操作手段は、制御ボタン３０ａの代わりにテンキー２３を用いても良い。例えば、このテンキー２３の数字２，８，４，６にはそれぞれ上下左右の移動を割り付け、５に決定を割り付けるとよい。動画の場合は画像の選択を行う必要はなく、動画を送らず印字のみを選択してもよい（Ｓ３０６）。
【００４５】
続いて、メッセージの入力を行う（Ｓ３０７）。メッセージの入力は、図４に示す手入力の他、予め固定された結婚、合格、卒業…等の固定分類から選択するようにしてもよい。固定分類が選択されれば、図６に示すように各分類に合致したメッセージが複数表示され、これから一つを選択する。
【００４６】
その後、画像に装飾のためのフレームを付与する場合には、複数列挙の中からフレームを選択し（Ｓ３０８）、送信日時を入力する（Ｓ３０９）。送信日時は、今すぐ送信の他、日付・時刻指定を行う。送信日時の指定はタイマーと連動する中継サーバー４のサービスとして実施される。
【００４７】
送信が選択されると（Ｓ３１０）、動画・静止画・音声データはファイル化された形で中継サーバー４又はＰＣ５ｂにｅメール又はＦＴＰにて送信される。これら音声・画像データは添付ファイルとしてメールサーバー４ｂから携帯端末５ａ，ＰＣ５ｂに直接送信される他、画像・画像ファイルの収納ＵＲＬを表示したｅメールが送信される。音声・画像データは記憶部４ｃに収納され、ウェブサーバー４ａで表示されるＵＲＬに携帯端末５ａ等の受信者がアクセスした際に、記憶部４ｃのファイルがウェブサーバー４ａにダウンロードされ表示される。ウェブサーバー４ａの機種によって表示可能なファイルが限定されるので、画像変換エンジン４ｄはファイルを表示可能な形式にコンバートする。
【００４８】
携帯端末５ａ，ＰＣ５ｂではメール添付又はダウンロードされたファイルが再生され、一定時間の音声動画又は静止画と共にメッセージが表示される。携帯電話５ａは、これらの動画又は静止画を携帯電話５ａの待ち受け画面として取り込んだり、歌唱入りの楽曲を携帯電話５ａの着信メロディーとして取り込む変換手段を有している。この変換手段はＪａｖａ（登録商標）スクリプト等により適宜構成することが可能であり、本発明のシステムは携帯電話待ち受けコンテンツの入力手段としても実施しうる。
【００４９】
図１４に示すように、印刷出力がある場合は（Ｓ４０１）、図９と同様に画像が複数表示され（Ｓ４０２）、印刷画像を選択する（Ｓ４０３）。続いて、図１０に示すように複数の印刷台紙パターンから一つを選択し（Ｓ４０４）、必要に応じてメッセージを入力する（Ｓ４０５）。飾りとなるフレームを選択し（Ｓ４０６）、印刷開始（Ｓ４０７）を選択すれば、、単位設備６の部屋番号と共に静止画がプリンター８ａを用いてシール状の台紙に印字される。以上により、一曲に対する一連の操作が完了することとなる。
【００５０】
最後に、本発明の他の実施形態の可能性について言及する。
上記実施形態では、図１１の集計ステップにおいて、個人ＩＤ毎、すなわち携帯端末毎に集計がなされるようにシステムを構成した。しかし、ステップＳ１０１〜Ｓ１０３を複数繰り返してグループＩＤを付与し、ステップＳ１０６において複数の携帯端末を含むグループ毎に集計がなされるようにシステムを構成してもよい。
【００５１】
上記実施形態では、携帯端末５ａ，２０として携帯電話等を例示した。しかし、この携帯端末としては、通信インターフェイスを備えたパーソナルコンピューターやＰＤＡ（Ｐｅｒｓｏｎａｌ　Ｄｉｇｉｔａｌ　Ａｓｓｉｓｔａｎｔ）を用いても構わない。
【００５２】
上記実施形態では、インジケーター６１は円状のものを３分割して表示した。しかし、このインジケーターはさらに多数細分化した区域を順次点灯させるように構成してもよい。また、インジケーター６１は分割丸形に限らず、時間と共にエリアが変化する棒状グラフ等で構成することもできる。また、時間と共に指の本数を変化させる手形等、時間と共に変化するアニメーションによりインジケーターを構成してもよい。
【００５３】
なお、特許請求の範囲の項に記入した符号は、あくまでも図面との対照を便利にするためのものにすぎず、該記入により本発明は添付図面の構成に限定されるものではない。
【図面の簡単な説明】
【図１】カラオケ音声画像送信システムのブロック図である。
【図２】ディスプレイとカメラとの位置関係を示す正面図であり，（ａ）はカメラが下付けの場合、（ｂ）はカメラが横付けの場合にそれぞれ該当する。
【図３】電話とＰＣとの情報伝達系を示すブロック図である。
【図４】コントロール部と表示系統との関係を示す図である。
【図５】コントロール部、表示系統、データベース及びＰＣの関係を示すブロック図である。
【図６】メッセージの選択入力画面である。
【図７】インジケーターの表示例を示す図である。
【図８】ＭＩＤＩファイルのトラック状態を示す図である。
【図９】静止画像の選択状況を示す図である。
【図１０】印刷パターンの例を示す図である。
【図１１】携帯電話による個人認証と集計の手順等を説明するためのフローチャートである。
【図１２】録音・録画等に至る手順を説明するためのフローチャートである。
【図１３】録音・録画対象を送信する手順を説明するためのフローチャートである。
【図１４】録画対象を印字する手順を説明するためのフローチャートである。
【符号の説明】
１：カラオケ音声画像送信システム，２：カラオケ設備，３：ネットワーク，４：中継サーバー，４ａ：ウェブサーバー，４ｂ：メールサーバー，４ｃ：記憶部，４ｄ：画像変換エンジン，４ｅ：タイマー，５：受信装置，５ａ：携帯端末，５ｂ：ＰＣ，５ｃ：アンテナ，６，６ａ〜６ｃ：単位設備，７：ハブ，８：撮影印刷装置，８ａ：プリンター，８ｂ：カメラ，８ｃ：モニター，８ｄ：制御ユニット，９：施設内サーバー，１０：ＰＣ，１１：モニター，１１ａ：表示画面，１２：再生装置，１３：アンプ，１４：マイク，１５：スピーカー，１６：カメラ，１６ａ：レンズ，１７：基本インターフェイス，１８：赤外線インターフェイス，２０：携帯端末，２０ａ：携帯液晶，２１：所有者情報，２１ａ：所有者電話番号，２１ｂ：所有者メールアドレス，２２：アドレス帳，２２ａ：送信先メールアドレス，２３：テンキー，３０：コントローラー，３０ａ：制御ボタン，４０：ＤＢ，４０ａ：個人ＤＢ，４０ｂ：送付先ＤＢ，４０ｃ：会計ＤＢ，４１：メールアプリケーション，６１：インジケーター，６１ａ：第一分割部、６１ｂ：第二分割部，６１ｃ：第三分割部，６２：歌詞，７０：情報処理ユニット，７１：インターフェイス，７２：表示ユニット，Ｅ２：第二終点，７０ａ：表示制御部，１０２：カーソル
【図１】
2004069923.tif 000003
【図２】
2004069923.tif 000004
【図３】
2004069923.tif 000005
【図４】
2004069923.tif 000006
【図５】
2004069923.tif 000007
【図６】
2004069923.tif 000008
【図７】
2004069923.tif 000009
【図８】
2004069923.tif 000010
【図９】
2004069923.tif 000011
【図１０】
2004069923.tif 000012
【図１１】
2004069923.tif 000013
【図１２】
2004069923.tif 000014
【図１３】
2004069923.tif 000015
【図１４】
2004069923.tif 000016